(57)【要約】【課題】伝送電源の供給電源を最小限に抑制し得て伝送電源の補償値を大きく確保することができ、しかも、筐体寸法の小型化並びに低コスト化を実現することができる遠隔監視システムの端末器への電源供給装置を提供する。【解決手段】携帯可能なデータ収集ユニット１０と端末器５０との間に接続され且つ複数台の端末器５０を直列接続した際の各端末器５０に電源供給を行う伝送電源４０を備え、伝送電源４０に各端末器５０が複数台同時に起動したときに端末器５０への電源供給を一時的に停止する電源監視部４８を設けた。【選択図】　　　　図１
2004062230.tif 000002
【特許請求の範囲】
【請求項１】
携帯可能なデータ収集ユニットと端末器との間に接続され且つ複数台の端末器を直列接続した際の各端末器に電源供給を行う伝送電源を備えた遠隔監視システムの端末器への電源供給装置において、
前記伝送電源に前記各端末器が複数台同時に起動したときに前記端末器への電源供給を一時的に停止する電源監視部を設けたことを特徴とする遠隔監視システムの端末器への電源供給装置。
【請求項２】
データ収集ユニットと複数台の端末器とを順次伝送線を介して直列に接続し、前記データ収集ユニットと前記各端末器間でこの端末器対応のアドレス番号に基づいて電文の授受を行い監視制御し、前記端末器を作動させる電源を前記伝送線の任意の箇所に設置された伝送電源からの作動電力を供給する直流電源とし、
前記端末器は、上流側伝送線接続端子と下流側伝送線接続端子との間に設けた電文遮断用のスイッチと、このスイッチに並列接続され直流の作動電力を通過可能とすると共に電文の通過を阻止するローパスフィルタと、前記スイッチの下流側に接続された受信部と、前記スイッチの上流側に接続された送信部とを備えると共に、
前記複数台の各端末器は、前記データ収集ユニットからの初期化信号により自己アドレスを初期値に設定して、前記スイッチを開放した後の所定時間内に自己アドレスを上流へと送信し、前記所定時間内に下流から自己アドレスと同じアドレスの受信があった場合には予め決められたアドレス順序により自己アドレスを更新し、前記所定時間内に下流からのアドレス受信が無ければ前記スイッチを閉としてその時のアドレスを自己アドレスとして設定し、前記自己アドレスを更新した場合は、前記所定時間内の自己アドレス送信からの動作を繰り返して下流側の前記端末器から逐次アドレスを設定し、
前記伝送電源は、前記複数台の各端末器が自己アドレスを決定したことに伴って所定の通常処理を開始する際に、同時に複数台の端末器が作動したことを検出した際には前記端末器への作動電力の供給を少なくとも一時的に停止する電源監視部を備えていることを特徴とする遠隔監視システムの端末器への電源供給装置。
【請求項３】
前記端末器に、前記データ収集ユニットによる自己アドレスに関する処理が終了した際に、前記伝送電源から通信系への電源供給を停止する制御スイッチを設けたことを特徴とする請求項２に記載の遠隔監視システムの端末器への電源供給装置。
【発明の詳細な説明】
【０００１】
【発明の属する技術分野】
本発明は、遠隔監視システムの端末器への電源供給装置に関する。
【０００２】
【従来の技術】
従来から、遠隔監視システムの端末器への電源供給装置が知られている。
【０００３】
図３，図４は、このような遠隔監視システムの端末器への電源供給装置の一例を示し（特開２０００−２９５６６８号公報参照）、図３は遠隔監視制御システムのブロック構成図、図４は端末器とデータ収集ユニットとを関連付けしたアドレス設定動作のフロー図である。
【０００４】
図３において、１は外部電源、２はパルス発信装置がついた被検針のメータ、１０はデータ収集ユニット、２０は伝送電源、３０は端末器である。データ収集ユニット１０と伝送電源２０とは、コネクタ１１を介して接続される。このコネクタ１１は、ＲＳ２３２Ｃ等の通信線１１ａと電源線１１ｂによりデータ収集ユニット１０と接続されている。また、端末器３０は、図３では１つのみを図示したが、伝送線３を介して複数台の直列接続が可能となっている。
【０００５】
データ収集ユニット１０は、通信処理部１２と、データ処理部１３、データ表示部１４、印字部１５を備え、伝送電源２０の電源部２１からの駆動電力により図示しないマイクロコンピュータにより作動される。また、データ収集ユニット１０は、コネクタ１１の着脱により伝送電源２０と分離・接合が可能となっている。従って、データ収集ユニット１０を可般可能なハンディパソコン等で構成して、データ収集時に必要に応じて接続することができる。
【０００６】
伝送電源２０は、外部電源１から給電されてシステム全体の直流駆動電力を生成する電源部２１、電源部２１に接続された充電回路２２、充電回路２２により電源部２１からの供給電源が充電される停電補償用の電池２３、電源部２１と電池２３のいずれか電圧の高い方を選択する切替回路２４、切替回路２４の直流出力を伝送線３へと送り出す途中に設けられたローパスフィルタ２５、データ収集ユニット１０の通信処理部１２の信号と伝送線３の信号形態を変換する信号変換部２６、信号変換部２６と伝送線３との間に設けられたハイパスフィルタ２７を備えている。
【０００７】
端末器３０は、伝送線３と接続される上流入力端子３０ａ並びに他の端末器３０等と伝送線３を介して接続可能な下流出力端子３０ｂを有し、他の端末器を複数台接続する場合には伝送電源２０を最上流にして順次直列に接続される。また、端末器３０は、ローパスフィルタ３１、ハイパスフィルタ３２、常時はオン状態のスイッチ部３３、上流入力端子３０ａ側から伝送線３上に伝送電源２０から供給される電力を端末器３０各部の駆動電源を編成する電源部３４、アドレスメモリ３５、通信処理部３６、被検針メータ２のパルス信号をカウントする計数部３７を備えている。
【０００８】
ハイパスフィルタ３２とスイッチ部３３が直列接続されたものがローパスフィルタ３１と並列に上流入力端子３０ａと下流出力端子３０ｂとの間に設けられている。
【０００９】
通信処理部３６は、図示しないマイクロコンピュータにより作動され、下流出力端子３０ｂ側から伝送線３の電文を読み取り、計数部３７のデータ値、自己アドレスを含んだ電文を編集して上流入力端子３０ａ側から伝送線３へ送出する。また通信処理部３６は読み取った電文の内容に応じてスイッチ部３３をオフまたはオンにする。
【００１０】
データ収集ユニット１０と伝送電源２０を最上流にして伝送線３にＮ台（Ｎ＝任意の整数）の端末器３０が直列接続されてシステムの接続工事が完了する。そして、Ｎ台の端末器３０にそれぞれのアドレス番号を自動設定する。
【００１１】
このように、データ収集ユニット１０及び伝送電源２０を上流端にして複数の端末器３０を順次直列接続して、各端末器３０への駆動電力が各端末器３０のローパスフィルタ３１を通過して供給がなされるので、端末器３０の設置場所への特別な電源の配線は不要となっている。また、ハイパスフィルタ３２に直列接続されるスイッチ部３３をオンにすることで、高周波成分の通信信号が下流の端末器３０へと送達可能となっている。
【００１２】
データ収集ユニット１０及び伝送電源２０が立ち上がると、伝送線３を通じて伝送電源２０の電源部２１からの直流電力が最上流の端末器３０の上流入力端子３０ａへと入力される。
【００１３】
最上流の端末器３０内では、ローパスフィルタ３１を通じて下流出力端子３０ｂへ直流電力が通過して接続した伝送線３から次の端末器３０へと供給され、以下同様に終端の端末器３０まで直流電力が供給されることにより伝送線３に接続されている端末器３０は作動可能になる。また、各端末器３０はスイッチ部３３がオン状態であり、データ収集ユニット１０からの通信電文はハイパスフィルタ３２を通過して終端の端末器３０まで送達される。
【００１４】
次に、図４のフロー図に基づいてアドレスの自動設定の動作を説明する。尚、この図４では、データ収集ユニット１０側での動作フローと端末器３０側でのフローとを関連付けしているため、各機器側でのフローに示すステップとは別の順序付けを括弧書きの数字にて示して説明する。
【００１５】
（１）まず、システムの電源が立ち上がると、データ収集ユニット１０から端末器３０に向けてアドレス初期化コマンドおよびタイマ時限値（Ｔ秒）が送信される（ステップ１０１）。
【００１６】
（２）端末器３０は、データ収集ユニット１０からのアドレス初期化コマンドの受信待機状態となっており（ステップ２０１）、データ収集ユニット１０からのアドレス初期化コマンドを受信すると、スイッチ部３３をオフにすると共に、自己アドレスを「１」に設定する（ステップ２０２）。
【００１７】
（３）端末器３０がタイマの作動を開始する（ステップ２０３）。
【００１８】
（４）タイマ動作中に端末器３０は自己アドレス番号「１」をデータ収集ユニット１０に送出する（ステップ２０４）。この時、端末器３０が送信した自己アドレス「１」は、スイッチ部３３がオフされている。従って、端末器３０が複数直列接続されている状態では、各端末器３０は上流側（データ収集ユニット１０側）に隣接して接続されている端末器３０にしか伝わらない。そして、データ収集ユニット１０は、最上流で接続された端末器３０からのアドレス「１」を受信することにより、アドレス「１」の端末器３０の存在を認知する。
【００１９】
（５）データ収集ユニット１０は、ステップ１０１でアドレス初期化コマンドおよびタイマ時限値（Ｔ秒）を送信した後、同じ時限値（Ｔ秒）のタイマの作動を開始し（ステップ１０２）、このタイマ時限内において（ステップ１０３）前記（４）で示した端末器３０からのアドレス「１」の受信を監視する（ステップ１０４）。
【００２０】
（６）各端末器３０は、下流端末器３０から所定時限（Ｔ秒）内において（ステップ２０５）、他の端末器３０からの自己と同じ番号のアドレス受信の有無を監視し（ステップ２０６）、自己と同じ番号のアドレスを受信した場合には自己アドレス番号をインクリメントした上で（ステップ２０７）、更新された自己アドレス番号を上流端末器３０に送出する（ステップ２０３及びステップ２０４を繰り返す）。
【００２１】
（７）下流端末器３０からのアドレス受信が所定時限（Ｔ秒）内に無いとき、及び自己と同じ番号のアドレスを受信しなかった場合には、この時点での自己アドレス番号をアドレスメモリ３５に書き込んでアドレスを確定し（ステップ２０８）、スイッチ部３３をオンにした（ステップ２０９）後に、通常処理の態勢に移る（ステップ２１０）。従って、最終端の端末器３０は、自己よりも下流に端末器３０が存在しない場合には、アドレス「１」の信号が送られてこないので、所定時限（Ｔ秒）経過後、アドレスメモリ３５に「１」を書込んで自己アドレス「１」が確定される。
【００２２】
（８）最終端の端末器３０（自己アドレス「１」のもの）以外の各端末器３０は、それぞれ下流直近の端末器３０から自己アドレスと同じアドレス番号信号をＴ秒以内に受信するので、自己アドレスを「２」「３」・・・に下流側から順次インクリメントすることとなり、タイマの作動を開始して、更新された自己アドレス「２」「３」・・・を各々上流側の端末器３０へと順次送信することで自己アドレスが確定される（ステップ２０３〜ステップ２０７を繰り返す）。
【００２３】
（９）データ収集ユニット１０では、各端末器３０からの接続分の自己アドレス「１」「２」「３」・・・の受信をステップ１０２〜ステップ１０４で監視し、アドレス番号の受信がある毎にタイマ時限値（Ｔ秒）を更新し、更新されたタイマ時限値（Ｔ秒）を経過してもアドレス番号の受信がないときは、最上流の端末器３０にアドレス番号が確定したと判断し、配下の端末器３０の数Ｎを記録する（ステップ１０５）。
【００２４】
（１０）配下の端末器３０の数（＝アドレス番号最大値）が確定すると、設定が完了したことになり（ステップ１０６）、通常処理へと移行する（ステップ１０７）。
【００２５】
尚、システムの使用中途において、新たな端末器３０を増設する場合、伝送線３の所望位置に端末器３０を割り込んで直列接続し、データ収集ユニット１０からアドレス初期化コマンドを送信することで、増設された端末器３０を含めた各端末器３０に対し新たなアドレス番号を自動設定する。
【００２６】
【発明が解決しようとする課題】
ところで、前記の如く構成された遠隔監視システムの端末器への電源供給装置にあっては、立ち上げ処理が終了すると、通常処理（ステップ１０７、ステップ２１０）を実行するため、伝送電源２０では、最低限として伝送線３に直列接続された全ての端末器３０の最大消費電力を補償するだけの性能を有することが要求されることとなる。
【００２７】
従って、直列接続される端末器３０は、上述したように物理的な接続数は無限となっているにも拘らず、実際には端末器３０の接続台数は伝送電源２０の給電能力（補償値）によって制限されるといった問題が生じていた。
【００２８】
尚、システム全体の電力を補償しうるだけの性能を有する伝送電源２０とするといっても、接続される端末器３０の数は未知であり、上述したように新たな端末器３０の増設も可能であることから、伝送電源２０の筐体寸法や製造コスト等を考慮すると完全に保証することは非常に困難である。
【００２９】
本発明は、前記問題を解決するため、伝送電源の供給電源を最小限に抑制し得て伝送電源の補償値を大きく確保することができ、しかも、筐体寸法の小型化並びに低コスト化を実現することができる遠隔監視システムの端末器への電源供給装置を提供することを目的とする。
【００３０】
【課題を解決するための手段】
その目的を達成するため、本発明の遠隔監視システムの端末器への電源供給装置は、携帯可能なデータ収集ユニットと端末器との間に接続され且つ複数台の端末器を直列接続した際の各端末器に電源供給を行う伝送電源を備えた遠隔監視システムの端末器への電源供給装置において、前記伝送電源に前記各端末器が複数台同時に起動したときに前記端末器への電源供給を一時的に停止する電源監視部を設けたことを特徴とする。
【００３１】
また、本発明の遠隔監視システムの端末器への電源供給装置は、データ収集ユニットと複数台の端末器とを順次伝送線を介して直列に接続し、前記データ収集ユニットと前記各端末器間でこの端末器対応のアドレス番号に基づいて電文の授受を行い監視制御し、前記端末器を作動させる電源を前記伝送線の任意の箇所に設置された伝送電源からの作動電力を供給する直流電源とし、前記端末器は、上流側伝送線接続端子と下流側伝送線接続端子との間に設けた電文遮断用のスイッチと、このスイッチに並列接続され直流の作動電力を通過可能とすると共に電文の通過を阻止するローパスフィルタと、前記スイッチの下流側に接続された受信部と、前記スイッチの上流側に接続された送信部とを備えると共に、前記複数台の各端末器は、前記データ収集ユニットからの初期化信号により自己アドレスを初期値に設定して、前記スイッチを開放した後の所定時間内に自己アドレスを上流へと送信し、前記所定時間内に下流から自己アドレスと同じアドレスの受信があった場合には予め決められたアドレス順序により自己アドレスを更新し、前記所定時間内に下流からのアドレス受信が無ければ前記スイッチを閉としてその時のアドレスを自己アドレスとして設定し、前記自己アドレスを更新した場合は、前記所定時間内の自己アドレス送信からの動作を繰り返して下流側の前記端末器から逐次アドレスを設定し、前記伝送電源は、前記複数台の各端末器が自己アドレスを決定したことに伴って所定の通常処理を開始する際に、同時に複数台の端末器が作動したことを検出した際には前記端末器への作動電力の供給を少なくとも一時的に停止する電源監視部を備えていることを特徴とする。
【００３２】
さらに、本発明の遠隔監視システムの端末器への電源供給装置は、前記端末器に、前記データ収集ユニットによる自己アドレスに関する処理が終了した際に、前記伝送電源から通信系への電源供給を停止する制御スイッチを設けたことを特徴とする。
【００３３】
【発明の実施の形態】
次に、本発明の遠隔監視システムの端末器への電源供給装置の実施の形態を、図面に基づいて説明する。
【００３４】
図１，図２は、本発明の遠隔監視システムの端末器への電源供給装置を示し、図１は遠隔監視制御システムのブロック構成図、図２は本発明の端末器とデータ収集ユニットを関連付けしたアドレス設定動作を含む電源供給制御のフロー図である。
【００３５】
図１において、１は外部電源、４は空調機器やエレベータ制御装置等の被監視機器に設けられた異常監視用等のセンサ（例えば、圧力センサや温度センサ等）、１０はデータ収集ユニット、４０は伝送電源、５０は端末器である。データ収集ユニット１０と伝送電源４０とは、コネクタ１１を介して接続される。このコネクタ１１は、ＲＳ２３２Ｃ等の通信線１１ａと電源線１１ｂによりデータ収集ユニット１０と接続されている。また、端末器５０は、図１では１つのみを図示したが、伝送線３を介して複数台の直列接続が可能となっている。
【００３６】
データ収集ユニット１０は、通信処理部１２と、データ処理部１３、データ表示部１４、印字部１５を備え、伝送電源４０の電源部４１からの駆動電力により図示しないマイクロコンピュータにより作動される。また、データ収集ユニット１０は、コネクタ１１の着脱により伝送電源４０と分離・接合が可能となっている。従って、データ収集ユニット１０を可般可能なハンディパソコン等で構成して、データ収集時に必要に応じて接続することができる。
【００３７】
伝送電源４０は、外部電源１から給電されてシステム全体の直流駆動電力を生成する電源部４１、電源部４１に接続された充電回路４２、充電回路４２により電源部４１からの供給電源が充電される停電補償用の電池４３、電源部４１と電池４３のいずれか電圧の高い方を選択する切替回路４４、切替回路４４の直流出力を伝送線３へと送り出す途中に設けられたローパスフィルタ４５、データ収集ユニット１０の通信処理部１２の信号と伝送線３の信号形態を変換する信号変換部４６、信号変換部４６と伝送線３との間に設けられたハイパスフィルタ４７、電源部４１に接続されると共に伝送線３の電流値が端末器５０の接続台数を基にデータ収集ユニット１０から設定される規定値を超えるか否かを常時監視する電源監視部４８、電源監視部４８の監視によりデータ収集ユニット１０で設定された規定値を超えたと判断された場合には同時に複数台の端末器３０が稼動したと判断されてオフされるスイッチ４９を備えている。
【００３８】
端末器５０は、伝送線３と接続される上流入力端子５０ａと他の端末器５０等と伝送線３を介して接続可能な下流出力端子５０ｂとを有し、他の端末器５０を複数台接続する場合には伝送電源４０を最上流にして順次直列に接続される。また、端末器５０は、ローパスフィルタ５１、ハイパスフィルタ５２、常時はオン状態のスイッチ部５３、上流入力端子５０ａ側から伝送線３上に伝送電源４０から供給される電力を端末器５０の各部駆動電源を編成する電源部５４、アドレスメモリ５５、通信処理部５６、センサ４の出力信号をＡ／Ｄ変換するＡ／Ｄ変換部５７と、時間管理用のタイマ回路５８と、このタイマ回路５８のカウント値に基づいてスイッチ部ＳＷ１，ＳＷ２をオン・オフ制御するスイッチ制御部５９を備えている。
【００３９】
ハイパスフィルタ５２とスイッチ部５３が直列接続されたものがローパスフィルタ５１と並列に上流入力端子５０ａと下流出力端子５０ｂとの間に設けられている。
【００４０】
通信処理部５６は、図示しないマイクロコンピュータにより作動され、下流出力端子５０ｂ側から伝送線３の電文を読み取り、自己アドレスを含んだ電文を編集して上流入力端子５０ａ側から伝送線３へ送出する。また通信処理部５６は読み取った電文の内容に応じてスイッチ部５３をオフまたはオンにする。
【００４１】
データ収集ユニット１０と伝送電源４０を最上流にして伝送線３にＮ台（Ｎ＝任意の整数）の端末器５０が直列接続されてシステムの接続工事が完了する。そして、Ｎ台の端末器５０にそれぞれのアドレス番号を自動設定する。
【００４２】
このように、データ収集ユニット１０及び伝送電源４０を上流端にして複数の端末器５０を順次直列接続して、各端末器５０への駆動電力が各端末器５０のローパスフィルタ５１を通過して供給がなされるので、端末器５０の設置場所への特別な電源の配線は不要となっている。また、ハイパスフィルタ５２に直列接続されるスイッチ部５３をオンにすることで、高周波成分の通信信号が下流の端末器５０へと送達可能となっている。
【００４３】
データ収集ユニット１０及び伝送電源４０が立ち上がると、伝送線３を通じて伝送電源４０の電源部４１からの直流電力が最上流の端末器５０の上流入力端子５０ａへと入力される。
【００４４】
最上流の端末器５０内では、ローパスフィルタ５１を通じて下流出力端子５０ｂへ直流電力が通過して接続した伝送線３から次の端末器５０へと供給され、以下同様に終端の端末器５０まで直流電力が供給されることにより伝送線３に接続されている端末器５０は作動可能になる。また、各端末器５０はスイッチ部５３がオン状態であり、データ収集ユニット１０からの通信電文はハイパスフィルタ５２を通過して終端の端末器５０まで送達される。
【００４５】
次に、図２のフロー図に基づいてアドレスの自動設定の動作を説明する。尚、データ収集ユニット１０側での動作フローと端末器５０側でのフローとを関連付けしているため、各機器側でのフローに示すステップとは別の順序付けを括弧書きの数字にて示して説明する。
【００４６】
（１）まず、システムの電源が立ち上がると、データ収集ユニット１０から端末器５０に向けてアドレス初期化コマンドおよびタイマ時限値（Ｔ秒）が送信される（ステップ１０１）。
【００４７】
（２）端末器５０は、データ収集ユニット１０からのアドレス初期化コマンドの受信待機状態となっており（ステップ２０１）、データ収集ユニット１０からのアドレス初期化コマンドを受信すると、スイッチ部５３をオフにすると共に、自己アドレスを「１」に設定する（ステップ２０２）。
【００４８】
（３）端末器５０がタイマの作動を開始する（ステップ２０３）。
【００４９】
（４）タイマ動作中に端末器５０は自己アドレス番号「１」をデータ収集ユニット１０に送出する（ステップ２０４）。この時、端末器５０が送信した自己アドレス「１」は、スイッチ部５３がオフされている。従って、端末器５０が複数直列接続されている状態では、各端末器５０は上流側（データ収集ユニット１０側）に隣接して接続されている端末器５０にしか伝わらない。そして、データ収集ユニット１０は、最上流で接続された端末器５０からのアドレス「１」を受信することにより、アドレス「１」の端末器５０の存在を認知する。
【００５０】
（５）データ収集ユニット１０は、ステップ１０１でアドレス初期化コマンドおよびタイマ時限値（Ｔ秒）を送信した後、同じ時限値（Ｔ秒）のタイマの作動を開始し（ステップ１０２）、このタイマ時限内において（ステップ１０３）前記（４）で示した端末器５０からのアドレス「１」の受信を監視する（ステップ１０４）。
【００５１】
（６）各端末器５０は、下流端末器５０から所定時限（Ｔ２秒）内において（ステップ２０５）、他の端末器５０からの自己と同じ番号のアドレス受信の有無を監視し（ステップ２０６）、自己と同じ番号のアドレスを受信した場合には自己アドレス番号をインクリメントした上で（ステップ２０７）、更新された自己アドレス番号を上流端末器５０に送出する（ステップ２０３及びステップ２０４を繰り返す）。
【００５２】
（７）下流端末器５０からのアドレス受信が所定時限（Ｔ２秒）内に無いとき、及び自己と同じ番号のアドレスを受信しなかった場合には、この時点での自己アドレス番号をアドレスメモリ５５に書き込んでアドレスを確定し（ステップ２０８）、スイッチ部５３をオンにする（ステップ２０９）。従って、最終端の端末器５０は、自己よりも下流に端末器５０が存在しない場合には、アドレス「１」の信号が送られてこないので、所定時限（Ｔ２秒）経過後、アドレスメモリ５５に「１」を書込んで自己アドレス「１」が確定される。
【００５３】
（８）最終端の端末器５０（自己アドレス「１」のもの）以外の各端末器５０は、それぞれ下流直近の端末器５０から自己アドレスと同じアドレス番号信号をＴ秒以内に受信するので、自己アドレスを「２」「３」・・・に下流側から順次インクリメントすることとなり、タイマの作動を開始して、更新された自己アドレス「２」「３」・・・を各々上流側の端末器５０へと順次送信することで自己アドレスが確定される（ステップ２０３〜ステップ２０７を繰り返す）。
【００５４】
（９）データ収集ユニット１０では、各端末器５０からの接続分の自己アドレス「１」「２」「３」・・・の受信をステップ１０２〜ステップ１０４で監視し、アドレス番号の受信がある毎にタイマ時限値（Ｔ秒）を更新し、更新されたタイマ時限値（Ｔ秒）を経過してもアドレス番号の受信がないときは、最上流の端末器５０にアドレス番号が確定したと判断し、配下の端末器５０の数Ｎを記録する（ステップ１０５）。
【００５５】
（１０）配下の端末器５０の数（＝アドレス番号最大値）が確定すると、設定が完了したことになる（ステップ１０６）。
【００５６】
（１１）伝送電源４０は、設定完了後、全端末器５０からアドレス確定信号を受信するまで待機する（ステップ３０１）。
【００５７】
（１２）端末器５０は、伝送電源４０に対し、全端末器５０からアドレス確定信号を受信した旨を送信する（ステップ２１１）。
【００５８】
（１３）伝送電源４０は、全端末器５０のアドレス確定信号を受信したらば、全端末器５０に対して第二タイマ起動値信号を送信する（ステップ３０２）。
【００５９】
（１４）端末器５０は、伝送電源４０からの第二タイマ起動値信号を受信したらば（ステップ２１２）、タイマ回路５８を起動させる（ステップ２１３）。このタイマ回路５８は順次カウントアップされる（ステップ２１４）。
【００６０】
（１５）伝送電源４０は、第二タイマ起動値信号送信後は、電源監視部４８により常時伝送電流が監視され（ステップ３０３）、データ収集ユニット１０から設定される電流最大値以下であればここで通常処理を行う（ステップ１０７）。
【００６１】
（１６）電源監視部４８による常時伝送電流の監視によりデータ収集ユニット１０から設定される電流最大値を超えた場合には、端末器５０のイニシャライズ処理を行うためにスイッチ４９を一旦オフにした後（ステップ３０４）、所定時間（Ｔ２秒）経過後に再びスイッチ４９をオンにして電源供給を再開する（ステップ３０５）。
【００６２】
（１７）スイッチ制御部５９では、第二タイマ起動値と自己アドレスに安全値（ｍ）を加えた値を比較し（ステップ２１５）、第二タイマ起動値が自己アドレスの安定値（ｍ）を越えた時点でスイッチＳＷ１，ＳＷ２をオンして（ステップ２１６）、端末器５０の各部の電源供給を開始する。
【００６３】
（１８）端末器５０は、この電源供給により稼動状態となり、データの計測を開始し、その計測データが通信処理部５６からデータ収集ユニット１０に送信される（ステップ２１０の通常処理となる）。
【００６４】
（１９）その計測データを受信したデータ収集ユニット１０から処理終了信号が通信処理部５６に返信されると、通信処理部５６は処理を完了し（ステップ２１７）、スイッチＳＷ１，ＳＷ２をオフすると共に（ステップ２１８）、タイマ回路５８を零クリアし（ステップ２１９）、ステップ２１４へと移行して再びカウントを開始する。
【００６５】
【発明の効果】
本発明の遠隔監視システムの端末器への電源供給装置にあっては、以上説明したように構成したことにより、伝送電源の供給電源を最小限に抑制し得て伝送電源の補償値を大きく確保することができ、しかも、筐体寸法の小型化並びに低コスト化を実現することができる。
【図面の簡単な説明】
【図１】本発明の実施の形態に係わる遠隔監視システムの端末器への電源供給装置を示し、遠隔監視制御システムのブロック構成図である。
【図２】本発明の端末器とデータ収集ユニットとを関連付けしたアドレス設定動作を含む電源供給制御のフロー図である。
【図３】従来の遠隔監視制御システムのブロック構成図である。
【図４】従来の端末器とデータ収集ユニットとを関連付けしたアドレス設定動作のフロー図である。
【符号の説明】
１０　データ収集ユニット、４０　伝送電源、４８　電源監視部、５０　端末器。
【図１】
2004062230.tif 000003
【図２】
2004062230.tif 000004
【図３】
2004062230.tif 000005
【図４】
2004062230.tif 000006